(57)【要約】      （修正有）【課題】地震、風圧力、人的外力によって自販機と共に転倒するおそれが少なく、しかも施工が簡単で取り扱いも容易な自販機基礎ブロックを開発。【解決手段】補助ブロックの高さを基本ブロックの高さよりも高く形成し基本ブロック２個の間に１個ないし複数個の補助ブロックを配置し、各ブロックを接続金具で一体的に接続する。基本ブロックと補助ブロックは、上面の４隅部と前面・後面の左右隅部に接続金具を装着するインサートナットを植設し、上面の対角の２隅部には地中抵抗型のアンカーに適合する貫通孔、上面の他の対角の２隅部には上部にアンカーボルト頭部を受ける段部を有し下部に拡径部を有する貫通孔を形成できる。基本ブロックと補助ブロックに分かれているので施工及び取り扱いが便利である。補助ブロックの高さを基本ブロックの高さよりも高くすることで、据付面を低く保ちながら、全体として大きな質量を確保でき、転倒に対する抵抗を大きくできる。【選択図】図５
0003116028.tif 000002
【実用新案登録請求の範囲】
【請求項１】
自販機脚部取付手段を有する基本ブロックと、これに接続金具で一体的に接続した補助ブロックとからなり、前記補助ブロックの高さが前記基本ブロックの高さよりも高いことを特徴とする自販機基礎ブロック。
【請求項２】
自販機脚部取付手段を有する２個の基本ブロックの間に１個ないし複数個の補助ブロックを有し、これら基本ブロック及び補助ブロックが接続金具で全体が一体となるように接続されており、前記補助ブロックの高さが前記基本ブロックの高さよりも高いことを特徴とする自販機基礎ブロック。
【請求項３】
自販機脚部取付手段を有する基本ブロックと、これに接続金具で一体的に接続した補助ブロックとからなり、前記基本ブロックと補助ブロックのそれぞれは、上面の４隅部に接続金具を装着するインサートナットが植設され、且つ、上面の対角の２隅部には地中抵抗型アンカーに適合する貫通孔が、上面の他の対角の２隅部には上部にアンカーボルト頭部を受ける段部を有し下部に拡径部を有する貫通孔が形成され、前面及び後面の左右隅部に接続金具を装着するインサートナットが植設されており、基本ブロックと補助ブロックとが少なくとも２個の接続金具によって接続されていることを特徴とする自販機基礎ブロック。
【請求項４】
自販機脚部取付手段を有する２個の基本ブロックの間に１個ないし複数個の補助ブロックを有し、これら基本ブロック及び補助ブロックが接続金具で全体が一体となるように接続されており、前記基本ブロックと補助ブロックのそれぞれは、上面の４隅部に接続金具を装着するインサートナットが植設され、且つ、上面の対角の２隅部には地中抵抗型のアンカーに適合する貫通孔が、上面の他の対角の２隅部には上部にアンカーボルト頭部を受ける段部を有し下部に拡径部を有する貫通孔が形成され、前面及び後面の左右隅部に接続金具を装着するインサートナットが植設されており、隣り合う前記ブロックどうしが少なくとも２個の接続金具によって接続されていることを特徴とする自販機基礎ブロック。
【請求項５】
請求項３又は４の自販機基礎ブロックにおいて、前記補助ブロックの高さが前記基本ブロックの高さよりも高く形成され、上面に植設された前記インサートナットが上面に形成された凹溝の底面に植設され、該凹溝は底面の高さが前記基本ブロックの高さと等しく、且つ前記接続金具が凹溝内に納まる形状に形成されていることを特徴とする自販機基礎ブロック。
【請求項６】
請求項１〜５のいずれかの自販機基礎ブロックにおいて、前記接続金具がブロックどうしを引き寄せて緊結するものであることを特徴とする自販機基礎ブロック。
【請求項７】
自販機脚部取付手段を有し、上面の４隅部に接続金具を装着するインサートナットが植設され、且つ、上面の対角の２隅部には地中抵抗型アンカーに適合する貫通孔が、上面の他の対角の２隅部には上部にアンカーボルト頭部を受ける段部を有し下部に拡径部を有する貫通孔が形成され、前面及び後面の左右隅部に接続金具を装着するインサートナットが植設されている基本ブロックでなることを特徴とする自販機基礎ブロック。
【請求項８】
請求項１〜７のいずれかの自販機基礎ブロックにおいて、前記基本ブロック及び／又は補助ブロックが繊維補強コンクリート製であることを特徴とする自販機基礎ブロック。
【請求項９】
請求項１〜７のいずれかの自販機基礎ブロックにおいて、前記基本ブロック及び／又は補助ブロックが重量コンクリート製であることを特徴とする自販機基礎ブロック。
【請求項１０】
請求項１〜９のいずれかの自販機基礎ブロックにおいて、前記自販機脚部取付手段が前記基本ブロック上面に形成されたボルト溝であり、該ボルト溝が、ボルト頭部が摺動可能でボルト頭部の回転を阻止する幅を有する頭部溝と、その上部に形成され該頭部溝よりも溝幅が広く前記ボルトに挿入したワッシャー板を摺動可能なワッシャー溝と、その上部に形成され下端において前記頭部溝及びワッシャー溝よりも溝幅が狭くボルト軸部を摺動可能で上部が基礎ブロック上面に開口する軸部溝とからなるものであることを特徴とする自販機基礎ブロック。
【考案の詳細な説明】
【技術分野】
【０００１】
本考案は、自動販売機（以下「自販機」と略称する。）を据え付けるために地面上などに敷設する自販機基礎ブロックに関する。
【背景技術】
【０００２】
ブロック上面に自販機脚部取付手段を有する自販機基礎ブロックが知られている。自販機脚部取付手段としては、ボルトなどの自販機を固定するための固定手段を摺動可能な溝を設け、ボルトなどをこの溝の中でスライドさせ、適宜位置で機器の脚部を固定するものなどがある。このような基礎ブロックは、大きさや脚部の位置の異なる種々の機器に共通して使用でき、容易に機器を据え付けることができるので便利である。このような基礎ブロックは、例えば下記の特許文献に開示されている。これらの基礎ブロックにおいて、溝はブロック表面に埋め込まれたアルミニウムなどの型材で構成されている。
【特許文献１】特開平１１−２３０４９１号公報
【特許文献２】実開昭４９−８９５６０号公報
【特許文献３】実開平２−１３９２１号公報
【特許文献４】実開平４−３１９８号公報
【特許文献５】意匠登録第１１６６０５２号公報
【考案の開示】
【考案が解決しようとする課題】
【０００３】
自販機の据え付けには、耐震性を考慮した設置基準として日本工業規格「自動販売機−据付基準ＪＩＳ  Ｂ  ８５６２」が定められている。この基準では、「６．１．５」において、据付面（基礎）の質量に関し、据付面が地震、風圧力、人的外力によって自販機と共に地上から剥離（転倒）しないための最小必要質量を定めている。しかし、実際の据付状況を見ると、この基準を満たしていない据付状態の自販機が多々見受けられる。それは、この規格の算定基準から算出される基礎の最小必要質量が、自販機の機種によっても異なるが、２００〜５００ｋｇ程度となり、据付面（基礎）をコンクリートブロックで形成するには質量及び寸法が大きくなりすぎて施工取り扱い上非常に不便であることによる。また、現場打コンクリートで形成した場合には、現場における基礎工事が煩雑で工期も必要となるばかりでなく、地主との契約が切れて現状復帰する際の大きな支障となるという問題がある。
【０００４】
本考案は、地震、風圧力、人的外力によって自販機と共に転倒するおそれが少なく、しかも施工が簡単で取り扱いも容易な自販機基礎ブロックを開発することを課題とするものである。
【課題を解決するための手段】
【０００５】
本考案（請求項１）は、自販機脚部取付手段を有する基本ブロックと、これに接続金具で一体的に接続した補助ブロックとからなり、前記補助ブロックの高さが前記基本ブロックの高さよりも高いことを特徴とする自販機基礎ブロックである。
【０００６】
本考案の基礎ブロックは、基本ブロックと補助ブロックに分かれているので個々のブロックはそれほど大きさ及び質量を大きくする必要がなく、取り扱いが便利である。現場においては、基本ブロックと補助ブロックを設置し、接続金具で一体化すればよいので、施工も簡単である。基礎ブロックは、自販機の据付面の高さが低いほど、質量が大きいほど転倒に対して有利となるが、補助ブロックの高さが基本ブロックの高さよりも高いので、据付面を低く保ちながら、全体として大きな質量を確保でき、転倒に対する抵抗を大きくできる。
【０００７】
また本考案（請求項２）は、自販機脚部取付手段を有する２個の基本ブロックの間に１個ないし複数個の補助ブロックを有し、これら基本ブロック及び補助ブロックが接続金具で全体が一体となるように接続されており、前記補助ブロックの高さが前記基本ブロックの高さよりも高いことを特徴とする自販機基礎ブロックである。
【０００８】
また本考案（請求項３）は、自販機脚部取付手段を有する基本ブロックと、これに接続金具で一体的に接続した補助ブロックとからなり、前記基本ブロックと補助ブロックのそれぞれは、上面の４隅部に接続金具を装着するインサートナットが植設され、且つ、上面の対角の２隅部には地中抵抗型のアンカーに適合する貫通孔が、上面の他の対角の２隅部には上部にアンカーボルト頭部を受ける段部を有し下部に拡径部を有する貫通孔が形成され、前面及び後面の左右隅部に接続金具を装着するインサートナットが植設されており、基本ブロックと補助ブロックとが少なくとも２個の接続金具によって接続されていることを特徴とする自販機基礎ブロックである。
【０００９】
上面の４隅部、前面及び後面の左右隅部に植設するインサートナットの位置は、隣り合うブロックと接続金具で接続可能な位置であればよい。インサートナットが上面の４隅部、前面及び後面の左右隅部に植設されているので、上面の任意の隅部、また前面・後面の左右任意の隅部において接続金具を使用できるので、現場のいかなる状況にも対応できる。基本ブロックと補助ブロックを少なくとも２個の接続金具で接続することによって、基本ブロックと補助ブロックとが一体化され、地震や風圧力、人的外力によって自販機に転倒する応力が作用した際に、自販機脚部を固定している基本ブロックと、接続された補助ブロックが一体の基礎として作用する。接続金具を用いる位置として最も好ましいのは、基本ブロックと補助ブロックを前面及び後面の隣り合う隅部で接続する方法であり、次に好ましいのは前面の隣り合う隅部と、上面後方の隣り合う隅部で接続する方法である。
【００１０】
また、上面の対角の２隅部には地中抵抗型のアンカーに適合する貫通孔が設けられているので、自販機を設置する地面が土の場合（舗装が薄くアンカー下部が土となっている場合を含む）、この貫通孔に地中抵抗型のアンカーを装着することで、基本ブロックと補助ブロックを安定した状態で地面に固定できる。地中抵抗型のアンカーとは、土内に挿入した後アンカー下端部の傘部を開いて土に対する引き抜き抵抗を得るアンカーをいう。さらに、上面の他の対角の２隅部には上部にアンカーボルト頭部を受ける段部を有し下部に拡径部を有する貫通孔が形成されているので、自販機を設置する地面がコンクリート又はアスファルトの場合、この貫通孔にコンクリート・アスファルト用のアンカーを装着することで、基本ブロックと補助ブロックを安定した状態で地面に固定できる。上部にアンカーボルト頭部を受ける段部を有し下部に拡径部を有する貫通孔は、実施例で後述するように、コンクリート・アスファルト用のアンカーを装着するのに適している。
【００１１】
また本考案（請求項４）は、自販機脚部取付手段を有する２個の基本ブロックの間に１個ないし複数個の補助ブロックを有し、これら基本ブロック及び補助ブロックが接続金具で全体が一体となるように接続されており、前記基本ブロックと補助ブロックのそれぞれは、上面の４隅部に接続金具を装着するインサートナットが植設され、且つ、上面の対角の２隅部には地中抵抗型のアンカーに適合する貫通孔が、上面の他の対角の２隅部には上部にアンカーボルト頭部を受ける段部を有し下部に拡径部を有する貫通孔が形成され、前面及び後面の左右隅部に接続金具を装着するインサートナットが植設されており、隣り合う前記ブロックどうしが少なくとも２個の接続金具によって接続されていることを特徴とする自販機基礎ブロックである。
【００１２】
また本考案（請求項５）は、請求項３又は４又の自販機基礎ブロックにおいて、前記補助ブロックの高さが前記基本ブロックの高さよりも高く形成され、上面に植設された前記インサートナットが上面に形成された凹溝の底面に植設され、該凹溝は底面の高さが前記基本ブロックの高さと等しく、且つ前記接続金具が凹溝内に納まる形状に形成されていることを特徴とする自販機基礎ブロックである。
【００１３】
補助ブロックの高さが基本ブロックの高さよりも高いので、据付面を低く保ちながら、全体として大きな質量を確保でき、転倒に対する抵抗を大きくできる。また、底面の高さが前記基本ブロックの高さと等しい凹溝に接続金具が納まるので、上面の任意の隅部において接続金具を用い、基本ブロックと補助ブロックを接続することが可能となる。
【００１４】
また本考案（請求項６）は、請求項１〜５のいずれかの自販機基礎ブロックにおいて、前記接続金具がブロックどうしを引き寄せて緊結するものであることを特徴とする自販機基礎ブロックである。ブロックどうしを引き寄せて緊結する接続金具は、例えば実開平４−６５８４４号公報に記載されているような、公知のものを用いることができる。
【００１５】
また本考案（請求項７）は、自販機脚部取付手段を有し、上面の４隅部に接続金具を装着するインサートナットが植設され、且つ、上面の対角の２隅部には地中抵抗型アンカーに適合する貫通孔が、上面の他の対角の２隅部には上部にアンカーボルト頭部を受ける段部を有し下部に拡径部を有する貫通孔が形成され、前面及び後面の左右隅部に接続金具を装着するインサートナットが植設されている基本ブロックでなることを特徴とする自販機基礎ブロックである。本考案の基本ブロックは単独で基礎ブロックとして使用することが可能である。
【００１６】
また本考案（請求項８）は、請求項１〜５のいずれかの自販機基礎ブロックにおいて、前記基本ブロック及び／又は補助ブロックが繊維補強コンクリート製であることを特徴とする自販機基礎ブロックである。繊維補強コンクリートとは鋼繊維、ガラス繊維、炭素繊維、合成繊維などの繊維補強材を含み、引張強度が改善されているコンクリートである。
【００１７】
また本考案（請求項９）は、請求項１〜５のいずれかの自販機基礎ブロックにおいて、前記基本ブロック及び／又は補助ブロックが重量コンクリート製であることを特徴とする自販機基礎ブロックである。
【００１８】
本考案において、重量コンクリートとは、単位体積質量が２５００ｋｇ／ｍ３以上のコンクリートをいう。細骨材として磁鉄鉱、フェロフォスフェロス、鉄を粉砕して製造したものや砂鉄を、粗骨材として鉄片、磁鉄鉱、褐鉄鉱などを適宜組み合わせて製造することができる。
【００１９】
また本考案（請求項１０）は、請求項１〜９のいずれかの自販機基礎ブロックにおいて、前記自販機脚部取付手段が前記基本ブロック上面に形成されたボルト溝であり、該ボルト溝が、ボルト頭部が摺動可能でボルト頭部の回転を阻止する幅を有する頭部溝と、その上部に形成され該頭部溝よりも溝幅が広く前記ボルトに挿入したワッシャー板を摺動可能なワッシャー溝と、その上部に形成され下端において前記頭部溝及びワッシャー溝よりも溝幅が狭くボルト軸部を摺動可能で上部が基礎ブロック上面に開口する軸部溝とからなるものであることを特徴とする自販機基礎ブロックである。
【考案の効果】
【００２０】
請求項１の基礎ブロックは、基本ブロックと補助ブロックに分かれているので個々のブロックはそれほど大きさ及び質量を大きくする必要がなく、取り扱いが便利である。現場においては、基本ブロックと補助ブロックを設置し、接続金具で一体化すればよいので、施工も簡単である。基礎ブロックは、自販機の据付面の高さが低いほど、質量が大きいほど転倒に対して有利となるが、補助ブロックの高さが基本ブロックの高さよりも高いので、据付面を低く保ちながら、全体として大きな質量を確保でき、転倒に対する抵抗を大きくできる。
【００２１】
請求項２の基礎ブロックは、前記請求項１の基礎ブロックと同様の効果に加えて、自販機脚部取付手段を有する２個の基本ブロックを有するので、左右の基本ブロックに自販機の左右の脚部を固定することができ、したがって、自販機を支持する基礎ブロックが全体として一体化されているので、据付面を低く保ちながら、全体として最大限の質量を確保でき、転倒に対する抵抗を最も大きくできる。
【００２２】
請求項３の基礎ブロックは、基本ブロックと補助ブロックに分かれているので個々のブロックはそれほど大きさ及び質量を大きくする必要がなく、取り扱いが便利である。上面の任意の隅部、また前面・後面の左右任意の隅部において接続金具を使用できるので、現場のいかなる状況にも対応でき、汎用性に優れたものである。また、地面が土、コンクリート、アスファルトのいずれであっても、基本ブロックと補助ブロックを地面に確実に固定することが可能である。
【００２３】
請求項４の基礎ブロックは、前記請求項３の基礎ブロックと同様の効果に加えて、自販機脚部取付手段を有する２個の基本ブロックを有するので、左右の基本ブロックに自販機の左右の脚部を固定することができ、したがって、自販機を支持する基礎ブロックが全体として一体化されているので、据付面を低く保ちながら、全体として最大限の質量を確保でき、転倒に対する抵抗を最も大きくできる。
【００２４】
請求項５の基礎ブロックは、前記請求項３又は４の基礎ブロックと同様の効果に加えて、補助ブロックの高さが基本ブロックの高さよりも高いので、据付面を低く保ちながら、全体として大きな質量を確保でき、転倒に対する抵抗を大きくできる。また、上面の任意の隅部において接続金具を用い、基本ブロックと補助ブロックを接続することが可能であるので、現場のいかなる状況にも対応でき、汎用性に優れる。
【００２５】
請求項６の基礎ブロックは、接続金具にブロックどうしを引き寄せる作用があるので、接続に際してブロックどうしが強固に密着し、強固に一体化する。
【００２６】
請求項７の基礎ブロックは、上面の対角の２隅部の地中抵抗型のアンカーに適合する貫通孔によって、地面が土の場合（舗装が薄くアンカー下部が土となっている場合を含む）、基本ブロックを安定した状態で地面に固定でき、さらに、上面の他の対角の２隅部のアンカーボルト頭部を受ける段部を有し下部に拡径部を有する貫通孔によって、地面がコンクリート又はアスファルトの場合も、基本ブロックを安定した状態で地面に固定できる。すなわち、地面が土、コンクリート、アスファルトのいずれであっても、基本ブロックを地面に確実に固定することが可能であり、全体として大きな質量を確保でき、転倒に対する抵抗を大きくできる。また、重量が必要となるときは、前面、後面、又は上面の任意の隅部において、接続金具を用い、所定の補助ブロックを接続することが可能であるので、現場のいかなる状況にも対応でき、汎用性に優れる。
【００２７】
請求項８の基礎ブロックは、繊維補強コンクリート製で引張応力が大きいので、接続金具部分に作用する引張力に対する抵抗（インサートナットの引き抜き抵抗）が大きくなり、ブロックどうしの緊結が強固になる。
【００２８】
請求項９の基礎ブロックは、重量コンクリート製であるので、ブロックの質量が大きくなり転倒に対する抵抗がさらに大きくなる。
【００２９】
請求項１０の基礎ブロックは、ワッシャー板を嵌めたボルトをボルト溝の開口する一端から差し入れ、摺動させて適宜位置で機器の脚部をボルト先端に螺合したナットで締め付け、固定する。このとき、ナットを回しても、頭部溝によってボルトの回転が阻止され、供回りすることがない。地震時などにおいて、ボルトに引き抜き力が作用すると、その力はボルト頭部→ワッシャー→ワッシャー溝の上壁に伝達する。ワッシャー溝の上部の軸部溝は、ワッシャー溝よりも溝幅が狭いので、ワッシャー溝の上壁に伝達した力は基礎ブロックのコンクリートによって受け止められ、コンクリート中に分散して伝達される。したがって、ボルト溝を脆弱なアルミニウムや樹脂の型材で構成しても、型材に生じる引張応力、曲げ応力は少なく（殆ど圧縮応力となる）、コンクリートによって引き抜き力が受け止められ、引き抜き強度がきわめて大きくなる。
【実施例】
【００３０】
以下、実施例を表した図面に基づいて本考案を詳細に説明する。図１は実施例の基礎ブロック１の施工状態の正面図、図２は基礎ブロック１の平面図、図３は基本ブロック２の平面図、図４は基本ブロック２の正面図、図５は接続金具５の説明図、図６は自販機脚部取付手段（ボルト溝４）の断面図、図７は自販機取付状態の説明図、図８は貫通孔８の説明図、図９は貫通孔２４の説明図、図１０は実施例の基礎ブロック１ａの施工状態の正面図、図１１は実施例の基礎ブロック１ｂの平面図、図１２は実施例の基礎ブロック１ｂの正面図、図１３は実施例の基礎ブロック１ｃの平面図、図１４は実施例の基礎ブロック１ｃの正面図、図１５は実施例の基礎ブロック１ｃの略断面図である。
【００３１】
基礎ブロック１は、高さ１００ｍｍ、幅３００ｍｍ、長さ９００ｍｍの直方体状の基本ブロック２と、高さ１２０ｍｍ、幅２００ｍｍ、長さ９００ｍｍの直方体状の補助ブロック３を、接続金具５で一体に接続してなる。補助ブロックの高さは基本ブロックの高さよりも高く形成されている。基礎ブロック１は、図１に示すように、左右に２個配置し、それぞれに自販機２２の左側又は右側の脚部２３を固定する。
【００３２】
基本ブロック２及び補助ブロック３の前面及び後面には、手掛２１（ブロックを持ち上げるとき手を掛ける窪み）、及び接続金具５で接続するためのインサートナット６が左右隅部に植説され（埋め込まれ）ている。インサートナット６は内部が雌ねじ孔になっており、施工の際のブロックの吊り上げにも使用できる。接続金具５は、ブロックどうしを引き寄せて緊結するタイプのものである。以下、接続金具５の作用を図５に基づいて説明する。図５（Ａ）は接続金具５の正面図、（Ｂ）は（Ａ）におけるＸ−Ｘ線断面図、（Ｃ）は基本ブロック２と補助ブロック３に接続金具５をセットして締め付ける前の状態の断面図、（Ｄ）は締め付け後の断面図である。（Ａ）（Ｂ）に示すように、接続金具５は両端部に長円形のボルト孔９を有し、その両側から内側端にかけて斜面部１０を形成している。締付ボルト７は、頭部の下側がテーパ部１１となっており、（Ｃ）の状態から締付ボルト７をインサートナット６にねじ込むにつれて、締付ボルト７のテーパ部１１が斜面部１０と接触しながら内側方向に滑り、したがって、ブロック２、３どうしが引き寄せられ、完全に締め付けると、（Ｄ）に示すように、ブロック２、３どうしが密着する。ブロックどうしを引き寄せて緊結するタイプの接続金具は、これに限らず従来公知の種々の構成のものを使用できる。
【００３３】
基本ブロック２の上面の前側端部から内側に向かって、及び後側端部から内側に向かって、それぞれ自販機脚部取付手段であるボルト溝４を形成している。ボルト溝４は、図６に示すように、頭部溝１３、ワッシャー溝１４、軸部溝１５からなる。頭部溝１３は自販機２２を固定するためのボルト１８の六角形の頭部１８ａが摺動可能で、かつ、回転できない溝幅及び溝深さを有する。ワッシャー溝１４は、頭部溝１３よりも溝幅が広く、ボルト１８に挿入した四角形のワッシャー板１８ｂを摺動可能な溝幅及び溝深さを有する。軸部溝１５は、その最下部において頭部溝１３びワッシャー溝１４よりも溝幅が狭く、ボルト軸部を摺動可能な溝幅で、上部が基本ブロック２の上面に開口している。
【００３４】
頭部溝１３、ワッシャー溝１４、軸部溝１５の下端部はアルミニウムの押出成形型材１６を埋設して形成されている。軸部溝１５の大部分は型抜きによるコンクリート面で形成されている。このコンクリート面で形成されている部分は、型抜きのための抜け勾配として、上方ほど徐々に径が太くなるテーパ状になっている。基本ブロック表面からワッシャー溝１４上面までの深さは約５０ｍｍで、十分な耐引き抜き力を持っている。
【００３５】
ワッシャー溝１４の直上（殆ど接触する位置）に、該溝１４に沿って補強鉄筋１７が埋設されている。補強鉄筋１７は、網状に組まれて埋設された鉄筋の一部である。
【００３６】
基本ブロック２の前面及び後面のボルト溝４端部が開口している部分から、ワッシャー板１８ｂを取り付けたボルト１８をボルト溝４に差し込み、適宜位置までボルト溝４内をスライドさせる。そこで、例えば図７に示すように、ボルト１８先端を固定金具１２に係合し、ナット１９を締め付けて、自販機２２の脚部２３を係合した固定金具１２を固定することで、自販機２２の脚部２３を基礎ブロック１に固定する。同図に示す固定金具１２は日本工業規格「自動販売機−据付基準ＪＩＳ  Ｂ  ８５６２」の「５．固定金具」に示されるものであるが、自販機の取付方法はこれに限るものではない。ワッシャー板１８ｂは、厚さ約３ｍｍの正方形鉄板の中央にボルト穴を形成したもので、ボルト１８に引き抜き力が作用した場合、引き抜き力はボルト頭部１８ａからワッシャー板１８ｂに伝達し、更にワッシャー溝１４の上壁１４ａからコンクリートに伝達され、コンクリート中に分散する。ワッシャー溝１４は基本ブロック２の充分深い部分に形成され、更に補強鉄筋１７の作用によって、コンクリートに伝達された引き抜き力が、より広い範囲のコンクリートに分散されることになり、非常に大きな耐引き抜き力が得られる。
【００３７】
基本ブロック２の上面の４隅部に接続金具を装着するインサートナット６が植設されている。これにより、図１１、１３に示すように、上面において補助ブロックと接続金具で接続することが可能となる。インサートナット６の幅方向の位置は、接続金具５に適合する位置とする。前後方向の位置は、なるべく前端又は後端に近い位置で、しかも貫通孔８又は貫通孔２４の邪魔にならない位置が好ましい。また、上面の対角の２隅部には貫通孔８が、他の対角の２隅部には貫通孔２４が形成されている。貫通孔８は地中抵抗型アンカー２５に適合するものである。地中抵抗型アンカー２５は土３４に対する引き抜き抵抗を有する周知のアンカーで、図８に示すように、土３４に形成した穴に貫通孔８からアンカー２５を挿入し、ワッシャーの上からナット２７を締め付けることでアンカー下部の傘部２６が開き、土に対する引き抜き抵抗が発生する。貫通孔２４は、上部にアンカーボルト頭部を受ける段部２９を、下部に拡径部３０を有し、コンクリート・アスファルト用アンカー２８に適するものである。図９に示すように、コンクリート３５（又はアスファルト）中にドリルで穴を開け（この際コンクリート屑が拡径部３０内に収納される）、その穴にアンカー２８を挿入し、アンカー２８の頭部をハンマーで叩くと、アンカー下端のテーパ状のピン３１が羽根３２の間に食い込んで羽根３２を広げコンクリート（又はアスファルト）に対する引き抜き抵抗が発生する。ナット２９を締め付けてこのナットを段部２９で受けさせることで、基本ブロック２がコンクリート３５（又はアスファルト）に固定される。したがって、基本ブロック２は、地面が土、コンクリート、アスファルトのいずれであっても、対角の隅部の貫通孔８又は２４を利用し、アンカーで地面に確実に固定することが可能となる。貫通孔８、２４はテーパ状になっているが、これは型抜きのためのいわゆる抜け勾配である。
【００３８】
なお、図７、８、９に示すように、基礎ブロックを設置する場合、地面（コンクリート、アスファルト面など）とブロックの間に接着剤２０を施工することが望ましい。
【００３９】
図１０に示す基礎ブロック１ａは、両側の２個の基本ブロック２の間に３個の補助ブロック３を有し、これら基本ブロック及び補助ブロックの隣り合う各ブロックが接続金具５で接続され、全体が一体となっている。基本ブロック２、補助ブロック３及び接続金具５は、前述の実施例と全く同じものである。この基礎ブロック１ａは、１個で自販機２２を支持することができ、質量も最大限に大きくすることができる。
【００４０】
図１１、１２に示す基礎ブロック１ｂは、基本ブロック２と補助ブロック３ａからなる。基本ブロック２は、前記実施例の基本ブロック２と全く同じである。補助ブロック３ａは、自販機脚部取付手段（ボルト溝）を有しない他は基本ブロック２と全く同じ構成である。すなわち、基本ブロック２と全く同じ形状・大きさで、インサートナット６、貫通孔８、２４及び手掛２１が同じ位置に設けられている。この場合、基本ブロック２と補助ブロック３ａとは、正面と上面後方の２カ所で接続金具５によって接続されている。本来は、正面と背面の２カ所で接続金具によって接続するのが望ましいのであるが、現場の状況によって背面で固定できない場合もあるので、そのような場合は、本実施例のように、上面後方で固定することができる。
【００４１】
図１３、１４、１５に示す基礎ブロック１ｃは、基本ブロック２と補助ブロック３ｂからなる。基本ブロック２は、前記実施例の基本ブロック２と全く同じである。補助ブロック３ｂは、高さが基本ブロック２よりも高く形成されている点、及び凹溝３３を有する点を除いて前記の補助ブロック３ａと全く同じ構成である。すなわち、基本ブロック２と全く同じ平面形状で、高さが１２０ｍｍと２０ｍｍ高く、インサートナット６、貫通孔８、２４及び手掛２１が同じ位置に設けられている。上面には凹溝３３が４カ所形成され、インサートナット６が凹溝３３の底面に植設され、凹溝３３の底面の高さは基本ブロックの高さと等しくなっている。凹溝の平面形状は、接続金具５が納まる形状であればよい。本実施例の場合も、基本ブロック２と補助ブロック３ａとは、正面と上面の後方の２カ所で接続金具５によって接続されている。補助ブロック３ｂは基本ブロックよりも高さが高く、据付面を低く保ちながら、大きな質量を確保して転倒に対する抵抗を大きくできる上に、図１５に示すように、凹溝３３の作用により、上面においても接続金具５で接続することが可能となる。
【００４２】
基本ブロック２は、それほど重量を必要としない場合、アンカーでしっかりと地面に固定された場合など、補助ブロックと接続せずに、単独で自販機基礎ブロックとして使用することが可能である。そして、重量が必要とされる場合には、適宜、上記の補助ブロック３、３ａ、３ｂを接続して使用できる。
【００４３】
本考案において、基本ブロック、補助ブロックの材質は、普通コンクリート、重量コンクリート、繊維補強コンクリートなどから適宜選択することができる。また、自販機脚部取付手段は、実施例のボルト溝に限らず、従来公知の種々の手段（例えば基本ブロック上面に埋め込んだインサートなど）を採用できる。
【図面の簡単な説明】
【００４４】
【図１】図１は実施例の基礎ブロック１の施工状態の正面図である。
【図２】基礎ブロック１の平面図である。
【図３】基本ブロック２の平面図である。
【図４】基本ブロック２の正面図である。
【図５】接続金具５の説明図である。
【図６】自販機脚部取付手段（ボルト溝４）の断面図である。
【図７】自販機取付状態の説明図である。
【図８】貫通孔８の説明図である。
【図９】貫通孔２４の説明図である。
【図１０】実施例の基礎ブロック１ａの施工状態の正面図である。
【図１１】実施例の基礎ブロック１ｂの平面図である。
【図１２】実施例の基礎ブロック１ｂの正面図である。
【図１３】実施例の基礎ブロック１ｃの平面図である。
【図１４】実施例の基礎ブロック１ｃの正面図である。
【図１５】実施例の基礎ブロック１ｃの略断面図である。
【符号の説明】
【００４５】
１  自販機基礎ブロック
２  基本ブロック
３  補助ブロック
４  ボルト溝
５  接続金具
６  インサートナット
７  締付ボルト
８  貫通孔
９  ボルト孔
１０  斜面部
１１  テーパ部
１２  固定金具
１３  頭部溝
１４  ワッシャー溝
１５  軸部溝
１６  型材
１７  補強鉄筋
１８  ボルト
１９  ナット
２０  接着剤
２１  手掛
２２  自販機
２３  脚部
２４  貫通孔
２５  地中抵抗型アンカー
２６  傘部
２７  ナット
２８  アンカー
２９  段部
３０  拡径部
３１  ピン
３２  羽根
３３  凹溝
３４  土
３５  コンクリート
【図１】
0003116028.tif 000003
【図２】
0003116028.tif 000004
【図３】
0003116028.tif 000005
【図４】
0003116028.tif 000006
【図５】
0003116028.tif 000007
【図６】
0003116028.tif 000008
【図７】
0003116028.tif 000009
【図８】
0003116028.tif 000010
【図９】
0003116028.tif 000011
【図１０】
0003116028.tif 000012
【図１１】
0003116028.tif 000013
【図１２】
0003116028.tif 000014
【図１３】
0003116028.tif 000015
【図１４】
0003116028.tif 000016
【図１５】
0003116028.tif 000017